(57)【要約】【課題】組積工法において強度があり短期間で施工されるＰＣブロック工法を提供する。【解決手段】ＰＣブロック積工法に用いるＰＣブロックは、１−ＰＣブロックの両側面と上面にはジョイント用の溝形を付け、２−ＰＣブロックの底面に高さ調整用の袋ナットを４ヶ所埋設し、３−ＰＣブロックの中央に楕円筒形のタテ穴を穿ち、該タテ穴の底面側はラッパ状にし、４−上面溝形の両端部付近には鉄筋を２列配置するための溝型付きプレートを２ヶ所埋設し、以上の構成からなるＰＣブロックを用いて、その施工の特徴としては、１−ＰＣブロックを所定の位置にセットするのに高さ調整機能が付いている。２−ヨコジョイント部の隙間をタテ穴の上からモルタルペーストを流し込むだけで完了する。よって短期間で施工される。【選択図】        図１
2005029962.tif 000002
【特許請求の範囲】
【請求項１】
ＰＣブロック積工法に用いるＰＣブロックは、１−ＰＣブロックの両側面と上面にはジョイント用の溝形を付け、２−ＰＣブロックの底面に高さ調整用の袋ナットを４ヶ所埋設し、３−ＰＣブロックの中央に楕円筒形のタテ穴を穿ち、該タテ穴の底面側はラッパ状にし、４−上面溝形の両端部付近には鉄筋を２列配置するための溝型付きプレートを２ヶ所埋設し、以上の構成からなるＰＣブロックとする。
【請求項２】
ＰＣブロック積工法の施工手順として、１−ＰＣブロック壁を構築するためのコンクリート基礎を施工し、その上面にタテジョイント位置に２本のタテ筋を差しておき、２−前記、タテ筋との間にＰＣブロックをセットするために底面の袋ナットにボルトを差し込んで高さを調整して所定の位置に配列し、３−前記、ボルトによって浮いているヨコジョイント部を充填するために、タテ穴の上からモルタルペーストを流し込み、４−ＰＣブロック上面の溝に埋設してある溝型付きプレートの溝部に鉄筋を２列配筋し、５−タテジョイント部と上面溝形部をモルタルにて打設し上面をフラットに仕上げる、６−この２から５までの工程を繰り返し、最上段に於いてはタテ穴を各種の埋設用とする場合モルタルは埋めないものとして構築する請求項１のＰＣブロックを用いたＰＣブロック積工法。
【発明の詳細な説明】
【０００１】
【発明の属する技術分野】
本発明はプレキャストコンクリートブロックを用いたプレキャストコンクリートブロック積工法に関する。（プレキャストコンクリートブロックをＰＣブロックと略す。）
【０００２】
【従来の技術】
従来の組積工法に用いられる材料にはコンクリートブロック、石、レンガ等があるが、いすれも敷きモルタルの上に重ねるものである。この工法だと、高さ調整が難しく熟練を要した。又、モルタルの強度が出ないと重ねられないので工期が長くなる等の欠点があった。又、一般に広く用いられているコンクリートブロックにおいては材料の強度が小さいのが欠点である。
【０００３】
【発明が解決しようとする課題】
以上のように従来の組積工法だと、工期を要し熟練を要した。又、一般に広く用いられているコンクリートブロックにおいては材料の強度が小さいのが欠点である。これらを改善するためにＰＣブロック積工法を提供することを目的としている。
【０００４】
本発明の前記ならびにその他の目的と新規な特徴は、次の説明を添付図面と照らし合わせて読むと、より完全に明らかになるであろう。ただし、図面はもっぱら解説のためであって、本発明の技術的範囲を限定するものではない。
【０００５】
【課題を解決するための手段】
上記目的を達成するために本発明は、ＰＣブロック積工法に用いるＰＣブロックは、１−ＰＣブロックの両側面と上面にはジョイント用の溝形を付け、２−ＰＣブロックの底面に高さ調整用の袋ナットを４ヶ所埋設し、３−ＰＣブロックの中央に楕円筒形のタテ穴を穿ち、該タテ穴の底面側はラッパ状にし、４−上面溝形の両端部付近には鉄筋を２列配置するための溝型付きプレートを２ヶ所埋設し、以上の構成からなるＰＣブロックとする。
【０００６】
ＰＣブロック積工法の施工手順として、１−ＰＣブロック壁を構築するためのコンクリート基礎を施工し、その上面にタテジョイント位置に２本のタテ筋を差しておき、２−前記、タテ筋との間にＰＣブロックをセットするために底面の袋ナットにボルトを差し込んで高さを調整して所定の位置に配列し、３−前記、ボルトによって浮いているヨコジョイント部を充填するために、タテ穴の上からモルタルペーストを流し込み、４−ＰＣブロック上面の溝に埋設してある溝型付きプレートの溝部に鉄筋を２列配筋し、５−タテジョイント部と上面溝形部をモルタルにて打設し上面をフラットに仕上げる、６−この２から５までの工程を繰り返し、最上段に於いてはタテ穴を各種の埋設用とする場合モルタルは埋めないものとして構築する上記のＰＣブロックを用いたＰＣブロック積工法を用いる。
【０００７】
【発明の実施の形態】
以下、図面に示す実施の形態により、本発明を詳細に説明する。ＰＣブロック積工法の用途としては、塀、簡易な擁壁、軽微な基礎等を想定しているが、基本的には従来のコンクリートブロック造では強度が弱く対応ができない強度を要する所に用いるものである。よって、コンクリートブロックと組み合わせて併用することは可能であり、コストや構造的にもその方が合理的である。
【０００８】
ＰＣブロックの断面形状としては、台形、直角台形、正方形、直角形等があり斜めの面はアーチ状としても良い。基本的に鉄筋はタテジョイント部とヨコジョイント部に２列入るので、その部分の上面と両側面の３面は溝形を入れるものとする。ＰＣブロックの寸法として、長さはコンクリートブロックに合わせた３９ＣＭが望ましく、高さは３０ＣＭ程度とし、幅は自由だが下段ほど大きくして全体を台形や直角台形とすることも可能である。
【０００９】
ＰＣブロック上面に埋設される溝型付きプレートは鉄筋を所定の位置に固定するもので、２列配置しダブルとすることで強度を高めると同時に、中心は支柱を埋設するためのタテ穴を避けるためでもある。その他に、ＰＣブロックの重量を軽減するために上面の溝を大きくしたときの両山のつなぎ補強の役目もあるので両端部を折り曲げる。
【００１０】
ＰＣブロックの高さを調整するためには、底面に埋設された袋ナットにボルトを差し込んでネジ山によって調整するので微調整が可能である。高さ調整が済んだらタテとヨコジョイント部の隙間を塞ぐために、輪状のスポンジ弾性材を差し込み、モルタルペーストを流し込む。
【００１１】
ＰＣブロックの楕円筒型のタテ穴は支柱が入る大きさ７−１０ＣＭ程度とし、底面側は充填しやすくするためにラッパ状にするとよい。その他、必要に応じて水抜きパイプや通気孔等を入れる。その他、コーナー用や長さの役物等は特別に注文するものとする。
【００１２】
【発明の効果】
以上の説明から明らかなように、本発明にあっては次に列挙する効果が得られる。ＰＣブロックを用いたＰＣブロック積工法の特徴は、１−ブロックの高さ調整機能が付いているのでセットするのが簡単で熟練を要しなく早くできる。２−ヨコジョイント部の隙間をタテ穴の上からモルタルペーストを流し込めば完了し、その養生期間中は高さ調整用のボルトが荷重を受けるのでＰＣブロックは連続して積むことができる。よって短期間で施工できる。３−ＰＣブロック中央のタテ穴は各種の埋設用にもなりフェンス等の組み合わせも可能である。
【図面の簡単な説明】
【図１】プレキャストコンクリートブロックの平面図と底面図。
【図２】プレキャストコンクリートブロックの側面図と断面図。
【図３】プレキャストコンクリートブロックとコンクリートブロックを併用した塀の断面図。
【図４】プレキャストコンクリートブロック積工法による擁壁断面とネットフェンス支柱。
【図５】プレキャストコンクリートブロック積工法による建物の基礎断面図。
【符号の説明】
１：プレキャストコンクリートブロック  ２：楕円筒形状タテ穴  ３：溝型付きプレート  ４：袋ナット  ５：鉄筋固定用溝  ６：ジョイント用上面溝  ７：ジョイント用側面溝  ８：高さ調整用ボルト  ９：鉄筋  １０：モルタルペースト１１：モルタル  １２：コンクリートブロック  １３：コンクリート基礎  １４：フェンス支柱  １５：アンカーボルト  １６：通気孔  １７：通水パイプ
【図１】
2005029962.tif 000003
【図２】
2005029962.tif 000004
【図３】
2005029962.tif 000005
【図４】
2005029962.tif 000006
【図５】
2005029962.tif 000007